(57)【要約】【課題】  シート搬送精度の向上を図ることができると共に、小型化を図ることができるテープ印刷装置を提供する。【解決手段】  第１駆動モータ２４の駆動により第１ギヤ列２５を介して搬送機構部１５を構成する排紙ローラユニット３７、プラテンローラ２１、グリップローラ２２、及びロールシートユニット１１の巻芯１１Ａが各々回転駆動されて、ロールシート１０が排出又は巻き戻される。また、第２駆動モータ３０の駆動により画像形成機構部１７を構成する第２ギヤ列２８を介してサーマルヘッド２７のプラテンローラ２１への押圧又は離間が行われ、また、カッティング機構部１６によりロールシート１０の切断が行われる。【選択図】    図２
2004291659.tif 000002
【特許請求の範囲】
【請求項１】
長尺状のロールシートを切断するカッタ刃が設けられたカッターユニットと、
前記カッターユニットを切断方向に往復移動させるカッタ搬送手段と、を備えたカッティング機構において、
前記カッタ刃は、刃先側が前記切断方向に対して所定角度傾斜して取り付けられていることを特徴とするカッティング機構。
【請求項２】
前記カッターユニットは、前記カッタ刃の刃先が前記ロールシートの印字面側から斜め方向に押し当てられることを特徴とする請求項１に記載のカッティング機構。
【請求項３】
前記カッタ搬送手段は、前記カッターユニットを前記ロールシートの搬送方向に対して直角方向に往復移動させることを特徴とする請求項１又は請求項２に記載のカッティング機構。
【請求項４】
前記カッターユニットは、前記カッタ刃の上部に設けられる押え部材を有し、
該カッターユニットを切断方向に移動させた場合には、前記押え部材はロールシートの上に乗り上げて下方に押し下げることを特徴とする請求項１乃至請求項３のいずれかに記載のカッティング機構。
【請求項５】
前記カッターユニットは、前記ロールシートの切断を行わない場合には、該ロールシートの経路をよけたホームポジションに待機していることを特徴とする請求項１乃至請求項４のいずれかに記載のカッティング機構。
【請求項６】
長尺状のロールシートを搬送する搬送手段と、前記搬送手段によって搬送されるロールシートに印字する印刷手段と、前記印刷手段によって印字されたロールシートを切断するカッティング機構と、を備えたテープ印刷装置において、
前記カッティング機構は、請求項１乃至請求項５のいずれかに記載のカッティング機構であることを特徴とするテープ印刷装置。
【発明の詳細な説明】
【技術分野】
【０００１】
本発明は、筒状の巻芯に巻回されるロールシートを搬送するための搬送手段を備えたテープ印刷装置に関し、特に、簡易なロールシート搬送機構の構成によりシート搬送精度の向上を図ることができると共に、小型化を図ることができるテープ印刷装置に関するものである。
【背景技術】
【０００２】
従来より、粘着シートに離型紙が張り合わされた長尺状のシートにサーマルヘッドを介して文字等を印刷するテープ印刷装置が知られている。このようなテープ印刷装置では、巻芯に巻回されたロールシートと、この巻芯に巻回されたロールシートが着脱可能に取付けられるロールシートホルダと、このロールシートホルダをテープ印刷装置内で回転可能に支持する支持機構と、このロールシートホルダからロールシートを引き出して搬送するための搬送手段とを備えているものがある。このようなテープ印刷装置では、通常、長尺状のロールシートとして、所定幅に形成された透明フィルムシート、フィルムシートの片面に粘着剤を介して離形紙を付着したロールシート、及び、自己発色性を有する感熱シート（いわゆる、サーマルペーパー）等が存在し、これらのいずれのロールシートも巻芯に巻回された状態でテープ印刷装置内に回転可能に支持され、搬送手段を介して引き出されてサーマルヘッドにより印刷される。
【０００３】
また、このロールシートにサーマルヘッドを介してフルカラー印刷する場合は、一般にシアン（Ｃ）、マゼンダ（Ｍ）、イエロー（Ｙ）等からなる複数のインクを、順番に一定長さ分ずつその長さ方向に塗布したインクリボンを内蔵したリボンカセットが装着される。そして、該ロールシート等上にこのインクリボンを介してサーマルヘッドが押し当てられ、マゼンダ（Ｍ）、シアン（Ｃ）、イエロー（Ｙ）等のいずれか一色が一定長さ分印刷された後、再度、ロールシートが該一定長さ分引き込まれて、他のいずれか一色が印刷される。そして、これを繰り返して、一定長さ分ずつロールシート上にフルカラー印刷が行われる。
【発明の開示】
【発明が解決しようとする課題】
【０００４】
しかしながら、フルカラー印刷等をする場合には、ロールシートをその長さ方向前後にシート搬送精度を高く維持しつつ一定長さ分ずつ複数回搬送する必要があるため、ロールシート搬送機構の構成が複雑になり小型化を図ることが困難であるという問題がある。
【０００５】
そこで、本発明は、上述した問題点を解決するためになされたものであり、簡易なロールシート搬送機構の構成によりシート搬送精度の向上を図ることができると共に、小型化を図ることができるテープ印刷装置を提供することを目的とする。
【課題を解決するための手段】
【０００６】
請求項１に係るカッティング機構は、長尺状のロールシートを切断するカッタ刃が設けられたカッターユニットと、前記カッターユニットを切断方向に往復移動させるカッタ搬送手段と、を備えたカッティング機構において、前記カッタ刃は、刃先側が前記切断方向に対して所定角度傾斜して取り付けられていることを特徴とする。
【０００７】
また、請求項２に係るカッティング機構は、請求項１に記載のカッティング機構において、前記カッターユニットは、前記カッタ刃の刃先が前記ロールシートの印字面側から斜め方向に押し当てられることを特徴とする。
【０００８】
また、請求項３に係るカッティング機構は、請求項１又は請求項２に記載のカッティング機構において、前記カッタ搬送手段は、前記カッターユニットを前記ロールシートの搬送方向に対して直角方向に往復移動させることを特徴とする。
【０００９】
また、請求項４に係るカッティング機構は、請求項１乃至請求項３のいずれかに記載のカッティング機構において、前記カッターユニットは、前記カッタ刃の上部に設けられる押え部材を有し、該カッターユニットを切断方向に移動させた場合には、前記押え部材はロールシートの上に乗り上げて下方に押し下げることを特徴とする。
【００１０】
また、請求項５に係るカッティング機構は、請求項１乃至請求項４のいずれかに記載のカッティング機構において、前記カッターユニットは、前記ロールシートの切断を行わない場合には、該ロールシートの経路をよけたホームポジションに待機していることを特徴とする。
【００１１】
更に、請求項６に係るテープ印刷装置は、長尺状のロールシートを搬送する搬送手段と、前記搬送手段によって搬送されるロールシートに印字する印刷手段と、前記印刷手段によって印字されたロールシートを切断するカッティング機構と、を備えたテープ印刷装置において、前記カッティング機構は、請求項１乃至請求項５のいずれかに記載のカッティング機構であることを特徴とする。
【発明の効果】
【００１２】
請求項１に係るカッティング機構では、カッタ刃は、刃先側が切断方向に対して所定角度傾斜して取り付けられているため、カッタ搬送手段によりカッタユニットを長尺状のロールシートの切断方向に移動させることによって、刃先側がロールシートに対して斜めに押し当てられ、スムーズに切断することができる。また、ロールシートを切断後、カッタ搬送手段によってカッタユニットを切断開始前の元の位置に移動させることができ、次のロールシートを確実にスムーズに切断することができる。
【００１３】
また、請求項２に係るカッティング機構では、カッタ刃の刃先がロールシートの印字面側から斜め方向に押し当てられるため、毛羽立ち等がロールシートの裏面側方向に出るため、良好な印字面を形成することができる。
【００１４】
また、請求項３に係るカッティング機構では、カッターユニットをロールシートの搬送方向に対して直角方向に往復移動させるため、カッタ刃をロールシートに対して直角に押し当てることができ、ジャム等の発生を押さえつつスムーズに切断することができる。
【００１５】
また、請求項４に係るカッティング機構では、カッターユニットを切断方向に移動させた場合には、カッタ刃の上部に設けられる押え部材がロールシートの上に乗り上げて下方に押し下げるため、ロールシートにテンションが働き、カッタ刃をロールシートに対して確実に直角に押し当てることができ、ジャム等の発生を押さえつつ更にスムーズに切断することができる。
【００１６】
また、請求項５に係るカッティング機構では、カッターユニットは、ロールシートの切断を行わない場合、即ち、ロールシートの印字中又は搬送中の場合には、該ロールシートの経路をよけたホームポジションに待機するため、ロールシートをスムーズに搬送できシート搬送精度の向上を図ることができる。
【００１７】
更に、請求項６に係るテープ印刷装置では、印字されたロールシートを切断するカッティング機構は、請求項１乃至請求項５のいずれかに記載のカッティング機構である。
これにより、カッタユニットがカッタ搬送手段によってカッタ刃の刃先側に搬送される場合には、ロールシートをスムーズに切断することができる。また、カッタ刃の刃先がロールシートの印字面側から斜め方向に押し当てられる場合には、毛羽立ち等がロールシートの裏面側方向に出るため、良好な印字面を形成することができる。また、カッタ刃の上部に押え部材を設けた場合には、該押え部材がロールシートの上に乗り上げて下方に押し下げるため、ロールシートにテンションが働き、カッタ刃をロールシートに対して確実に直角に押し当てることができ、ジャム等の発生を押さえつつ更にスムーズに切断することができる。また、ロールシートの印字中又は搬送中、カッターユニットを該ロールシートの経路をよけたホームポジションに待機するようにした場合には、ロールシートをスムーズに搬送できシート搬送精度の向上を図ることができる。
【発明を実施するための最良の形態】
【００１８】
以下、本発明に係るテープ印刷装置を具体化した一実施の形態について図面を参照しつつ詳細に説明する。先ず、本実施形態に係るテープ印刷装置の本体筐体の概略構成について図１乃至図６に基づき説明する。図１は本実施形態に係るテープ印刷装置の本体筐体の概略構成を示す斜視図である。図２は本実施形態に係るテープ印刷装置の本体筐体の概略構成を示す平面図である。尚、両図において、テープ印刷装置の本体筐体に上フレーム３（図３等参照）を介して開閉自在に取り付けられる上カバーは、取り外されている。図３は本実施形態に係るテープ印刷装置の内部構造を示し、（Ａ）は第２ギヤ列側からの斜視図、（Ｂ）は第２ギヤ列側の側面図である。図４は本実施形態に係るテープ印刷装置の内部構造を示し、（Ａ）は第１ギヤ列側からの斜視図、（Ｂ）は第１ギヤ列側の側面図である。図５は本実施形態に係るテープ印刷装置の上フレームを取り除いた場合の内部構造を示し、（Ａ）は第１ギヤ列側からの斜視図、（Ｂ）は第１ギヤ列側の側面図である。図６は本実施形態に係るテープ印刷装置の上フレームを取り除いてリボンカセットを装着した場合を示す第２ギヤ列からの斜視図である。
【００１９】
図１及び図２に示すように、このテープ印刷装置１の本体筐体２は、左右両側に配設される側壁５及び６を持つ下フレーム７内に、ロールシート１０を巻芯１１Ａ（図１３参照）に巻回した状態で回転自在に支持しているロールシートユニット１１と、ロールシート１０を正逆両方向に搬送し得る搬送手段としての搬送機構部１５と、搬送機構部１５によって搬送されるロールシート１０をカットするためのカッティング機構部１６とが設けられている。また、上フレーム３（図３等参照）は、ロールシート１０の正方向の搬送において、このカッティング機構部１６の上流側に配設され、ロールシート１０に所定の画像を形成するための画像形成手段としての画像形成機構部１７（図３参照）が設けられている。また、下フレーム７の下側には外部のパーソナルコンピュータ等からの指令により各機構部１５、１６、１７等を駆動制御する制御回路部（不図示）が設けられている。
【００２０】
また、ロールシートユニット１１は、下フレーム７内の一方の端に着脱自在に取り付けられる。即ち、下フレーム７内には、ロールシートユニット１１を構成する各ユニットホルダ１２、１３の外側方向に突設される各取付部材１４Ａ、１４Ｂが着脱自在に嵌め込まれる一対のユニット支持部１６Ａ、１６Ｂが設けられている。そして、ロールシートユニット１１の各取付部材１４Ａ、１４Ｂを各ユニット支持部１６Ａ、１６Ｂに嵌め込むことによって、該ロールシートユニット１１が下フレーム７内に着脱自在に取り付けられる。
【００２１】
また、図４及び図５に示すように、搬送機構部１５は、画像形成機構部１７の構成要素でもあるプラテンローラ２１と、該プラテンローラ２１の上流側に配設されるグリップローラ２２とを備えている。グリップローラ２２とロールシート１０を挟んで対向する位置には一対の各従動ローラ２３、２３が上フレーム３に配設されている。この各従動ローラ２３、２３は、バネ等によりグリップローラ２２に向かって押圧するように付勢されて回転可能に支持されている。そして、下フレーム７の側壁５に配設されるステッピングモータ等から構成される第１駆動モータ２４の正逆駆動によって、プラテンローラ２１及び排出ローラ２２は、第１ギヤ列２５を介して、ロールシート１０を正方向（排出方向）及び逆方向（引き込み方向）に搬送するように回転される。また、ロールシートユニット１１のユニットホルダ１３の外周面にはロールシート巻き取りギヤ１３Ａが設けられ、後述のように搬送機構部１５の第１ギヤ列２５に接続されてロールシート１０を巻き取り可能に構成されている。
【００２２】
また、図６に示すように、ロールシート１０にカラー印字をする場合には、プラテンローラ２１をインクリボンが覆うようにリボンカセット７１が下フレーム７に装着される。また、このリボンカセット７１に内蔵されるインクリボンを巻き取るリボン巻き取りスプール（不図示）は、後述のようにロールシート１０の排出方向への搬送と共に、第１ギヤ列２５を介して巻き取り方向に回転させられる（図１３参照）。
尚、プラテンローラ２１とロールシート１０を挟んで対向する位置には、後述のように画像形成機構部１７を構成するサーマルヘッド２７が上フレーム３に配設されている（図７参照）。このサーマルヘッド２７は、後述のようにバネ等によりプラテンローラ２１に向かって押圧するように付勢されて支持されている。また、サーマルヘッド２７は、下フレーム７の側壁６に配設されるＤＣモータ等によって構成される第２駆動モータ３０の正回転駆動によって、第２ギヤ列２８を介して、ロールシート１０を正方向に搬送するときには、プラテンローラ２１に押し当てられ、第２駆動モータ３０の逆回転駆動によって、該ロールシート１０を逆方向に搬送するときには、バネ等の押圧力に抗してプラテンローラ２１から離間するように持ち上げられる。したがって、ロールシート１０は、プラテンローラ２１及びグリップローラ２２の回転によって、正方向（引き出される方向）に搬送され、一方、グリップローラ２２の逆回転によって逆方向（引き込まれる方向）に搬送される。
【００２３】
また、図１及び図２に示すように、プラテンローラ２１の左右両端縁部の上流側には、ポリアセタール等の粘着剤の付着しにくい樹脂製の一対のガイド部材４Ａ、４Ｂがビス等により着脱可能に取り付けられている。この各ガイド部材４Ａ、４Ｂの上面部には、ロールシート１０の幅方向側面に当接して、搬送方向に案内する各外側押え部４Ｃ、４Ｄが上側に所定高さ寸法突出して形成されている。これにより、各ガイド部材４Ａ、４Ｂの上面と各外側押え部４Ｃ、４Ｄの対向面とによってロールシート１０は搬送経路に沿って案内され、プラテンローラ２１の上側へ案内される。
【００２４】
また、カッティング機構部１６を構成するカッタープレート３５（図９等参照）の下流側端縁部の直上には、排紙ローラユニット３７が配設されている。この排紙ローラユニット３７には、後述のように一対の排紙ローラ３８、３８（図１２参照）が設けられ、カッタープレート３５と協動してロールシート１０を挟むと共に、第１ギヤ列を介して正方向に搬送すると共に、該ロールシート１０が逆方向に搬送される場合には、停止して所定の押圧力を付加しつつ摺動するように構成されている。そして、この排紙ローラユニット３７とカッタープレート３５との間を搬送されたロールシート１０は、本体筐体２の前面部に形成されるシート排紙口２Ａからカット機構部１６によって所定長さに切断された後、排紙される（図１参照）。
【００２５】
次に、画像形成機構部１７の圧着リリース機構について図７及び図８に基づいて説明する。図７は本実施形態に係るテープ印刷装置１の画像形成機構部１７を構成するサーマルヘッド２７がプラテンローラ２１からリリースされた状態を示す正面図である。図８は本実施形態に係るテープ印刷装置１の第２ギヤ列２８の構成を示す拡大正面図である。
図７に示すように、画像形成機構部１７は、ロールシートユニット１１に装着可能なロールシート１０の最大幅寸法にほぼ等しい長さを持つ、印字手段としてのライン型のサーマルヘッド２７と、このサーマルヘッド２７とロールシート１０を挟んで対向するプラテンローラ２１とを備えている。また、サーマルヘッド２７は、略コの字形で上フレーム３の各側壁４１、４２に軸支される回転軸４３に対して上下移動可能に支持されると共に、外側先端部にプラテンローラ２１の回転軸に嵌挿される凹部が形成される各支持部材４４、４４が取り付けられている。また、この回転軸４３の各支持部材４４に対向する位置には、所定径の偏心カム４５、４５が取り付けられている。そして、サーマルヘッド２７は、第２ギヤ列２８を構成する回転軸４３の一端側に取り付けられたカムギヤ５７の回転により、各偏心カム４５、４５が１８０度毎に回転して各支持部材４４、４４が上下に移動し、プラテンローラ２１に接触又は離間させられる。尚、サーマルヘッド２７がプラテンローラ２１に接触する場合には、各偏心カム４５、４５は、各支持部材４４、４４から所定間隔離れるように構成されている。
【００２６】
また、回転軸４３及びサーマルヘッド２７の上側は、各側壁４１、４２間に横架される天板４６によって覆われている。また、サーマルヘッド２７とこの天板４６との間には、所定間隔でヘッドバネ４８、４８が装着され、サーマルヘッド２７が所定押圧力でプラテンローラ２１に押しつけられるように構成されている。
【００２７】
一方、図８に示すように、第２ギヤ列２８の構成は、第２駆動モータ３０のシャフトに取り付けられるモータ駆動ギヤ５１と、このモータ駆動ギヤ５１に歯合する第１カムダブルギヤ５２と、この第１カムダブルギヤ５２の回転軸に軸支されると共に該第１カムダブルギヤ５２に歯合する一対の第１及び第２遊星ギヤ５３Ａ、５３Ｂと、この一方の第１遊星ギヤ５３Ａに歯合する第２カムダブルギヤ５４と、この第２カムダブルギヤ５４に歯合する第３カムダブルギヤ５５と、この第３カムダブルギヤ５５に歯合するカムアイドルギヤ５６と、このカムアイドルギヤ５６と歯合するカムギヤ５７とから構成されている。また、カムギヤ５７の内側側面には、カム部５７Ａが約１８０度の角度で円弧状に内側に突出すると共に、円弧の中央位置が偏心カム４５の短径の部分に対向するように形成されている。また、このカム部５７Ａが回転して当接することによりＯＮ・ＯＦＦされるスイッチＳＷ１が側壁４２に設けられている。尚、このスイッチＳＷ１は、不図示の制御回路部に接続されている。
また、他方の第２遊星ギヤ５３Ｂは、後述のリードスクリュー（図１０参照）の一端側に取り付けられるリードスクリューギヤ５８に歯合している。
【００２８】
続いて、第２ギヤ列２８の動作について図８に基づき説明する。印字を開始する場合には、サーマルヘッド２７をプラテンローラ２１に所定押圧力で押し当てる必要があるため、先ず、第２駆動モータ３０を反時計方向に回転させ、第１カムダブルギヤ５２、第１遊星ギヤ５３Ａ、第２カムダブルギヤ５４、第３カムダブルギヤ５５、カムアイドルギヤ５６、及びカムギヤ５７の順に回転させる。これにより、カムギヤ５７は反時計方向に回転するため、各偏心カム４５、４５も同時に反時計方向に回転する。そして、カムギヤ５７の内側側面に形成されるカム部５７ＡがスイッチＳＷ１に当接してＯＮ信号を出力後、第２駆動モータ３０の回転を停止させることにより各偏心カム４５の短径が真上に位置して、サーマルヘッド２７がプラテンローラ２１に各ヘッドバネ４８、４８を介して所定押圧力で押し当てられる。
【００２９】
また、印字を終えた場合には、サーマルヘッド２７をプラテンローラ２１から離間させる必要があるため、先ず、第２駆動モータ３０を反時計方向に回転させ、第１カムダブルギヤ５２、第１遊星ギヤ５３Ａ、第２カムダブルギヤ５４、第３カムダブルギヤ５５、カムアイドルギヤ５６、及びカムギヤ５７の順に回転させる。これにより、カムギヤ５７は反時計方向に再び回転するため、各偏心カム４５、４５も同時に反時計方向に回転する。そして、カムギヤ５７の内側側面に形成されるカム部５７ＡがスイッチＳＷ１から離間してＯＦＦ信号が出力され、このＯＦＦ信号を受けた制御回路部は第２駆動モータ３０を所定量回転された後に停止させる。これにより、各偏心カム４５、４５の長径が真上に位置して、サーマルヘッド２７が各ヘッドバネ４８、４８の押圧力に抗して持ち上げられ、プラテンローラ２１から離間する。
【００３０】
次に、カッティング機構部１６の機構について図９乃至図１１に基づいて説明する。図９は本実施形態に係るテープ印刷装置１の排紙ローラユニット３７を取り除いてカッティング機構部１６を示す図で、（Ａ）は平面図、（Ｂ）は（Ａ）におけるＢ−Ｂ断面図、（Ｃ）は（Ａ）におけるＣ矢視図である。図１０は本実施形態に係るテープ印刷装置１のカッティング機構部１６のキャリッジ機構を示す正面断面図である。図１１は本実施形態に係るテープ印刷装置１のカッティング機構部１６の第２ギヤ列２８による駆動を示す図で、（Ａ）はロールシート１０の切断時の駆動を示す一部拡大正面図で、（Ｂ）はホームポジション移動時の駆動を示す一部拡大正面図である。
【００３１】
図９及び図１０に示すように、カッティング機構部１６は、プラテンローラ１０の下流側で各側壁５、６に横架されてロールシート１０を受ける断面略横Ｌ字形のカッタープレート３５と、該カッタープレート３５の上流側端面に沿って移動しつつロールシート１０を進行方向に対して垂直に切断するカッターユニット６０と、該カッターユニット６０をカット方向（図９（Ａ）中、左右方向）に往復移動させるカッタ搬送機構とから構成されている。
このカッターユニット６０は、ロールシート１０の印字中又は搬送中の場合には、図９（Ａ）に示すように、ロールシート１０の経路をよけたホームポジションに待機している。また、このカッターユニット６０は、カッターキャリッジ６１と、このカッターキャリッジ６１の上側に、刃先がカット方向（矢印Ｄ方向）に所定角度傾斜して取り付けられるカッタ刃６２と、このカッタ刃６２の上部に取り付けられるカッターキャップ６３とから構成されている。
【００３２】
カッターキャップ６３は、図９（Ｂ）、（Ｃ）に示すように、カッタ刃６２の刃先側の下端部は、カッタープレート３５の搬送経路上流側の端縁部上面を覆うと共に、カッターキャップ６３の該上流側端面部が該カッタープレート３５の上面よりも所定寸法（本実施形態では、約１ｍｍ）下側に位置するように下方に延出されている。これにより、カッターユニット６０を切断方向に移動させた場合には、カッターキャップ６３の下端部がロールシート１０の上に乗り上げて下方に押し下げるため、ロールシート１０にテンションが働き、カッタ刃６２をロールシート１０に対して確実に直角に押し当てることができ、ジャム等の発生を押さえつつスムーズに切断することができる。また、カッタ刃６２の刃先は、ロールシート１０の印字面側から斜め下側方向に押し当てられるため、毛羽立ち等がロールシート１０の裏面側方向に出るため、良好な印字面を形成することができる。
【００３３】
カッターキャリッジ６１は、図１０に示すように、下フレーム７の両側壁５、６に支持されるガイド軸６５に摺動可能に挿通されると共に、該ガイド軸６５と略平行に両側壁５、６に回転可能に軸支されるリードスクリュー６６に螺合されている。そして、このリードスクリュー６６の側壁６の外側端縁部には、リードスクリュークラッチバネ６７を介して第２ギヤ列２８を構成するリードスクリューギヤ５８が取り付けられている。また、カッターキャリッジ６１がホームポジションに位置する場合に、該カッターキャリッジ６１に当接してＯＮ信号を出力するスイッチＳＷ２が側壁５に取り付けられている。また、カット終了ポジションに位置する場合に、該カッターキャリッジ６１に当接してＯＮ信号を出力するスイッチＳＷ３が側壁６に取り付けられている。そして、各スイッチＳＷ２、ＳＷ３は制御回路部に接続されている。
【００３４】
カッタユニット６０のロールシート１０切断時の駆動は、図１１（Ａ）に示すように、先ず、第２駆動モータ３０を時計方向に回転させ、第１カムダブルギヤ５２、第１遊星ギヤ５３Ａ、リードスクリューギヤ５８の順に回転させる。尚、第２駆動モータ３０を時計方向に回転させた場合には、第２遊星ギヤ５３Ｂと第２カムダブルギヤ５４とは歯合しない。
そして、リードスクリューギヤ５８は反時計方向に回転して、リードスクリュークラッチバネ６７を介して接続されるリードスクリュー６６が反時計方向に回転させられる。続いて、このリードスクリュー６６に螺合されているカッターキャリッジ６１が、このリードスクリュー６６の反時計方向の回転によってガイド軸６５とリードスクリュー６６に沿って切断方向（図９（Ａ）及び図１０中、右方向）に移動して、カット終了ポジションに達した場合には、リードスクリュークラッチバネ６７が締まり側となるため、カッターキャリッジ６１はスイッチＳＷ３に押しつけられて、該スイッチＳＷ３からＯＮ信号が制御回路部に出力される。
【００３５】
一方、図１１（Ｂ）に示すように、このスイッチＳＷ３からＯＮ信号を受け取った制御回路部は、カッターキャリッジ６１がカット終了ポジションに達したと判定し、即ちロールシート１０の切断終了と判定して、第２駆動モータ３０を逆回転方向（反時計方向）に回転させ、第１カムダブルギヤ５２、第２遊星ギヤ５３Ｂ、リードスクリューギヤ５８の順に回転させる。尚、第２駆動モータ３０を反時計方向に回転させた場合には、上記のように第１遊星ギヤ５３Ａと第２カムダブルギヤ５４とは歯合して駆動が伝達される（図８参照）。
そして、リードスクリューギヤ５８は時計方向に回転して、リードスクリュークラッチバネ６７を介して接続されるリードスクリュー６６が時計方向に回転させられる。続いて、このリードスクリュー６６に螺合されているカッターキャリッジ６１が、このリードスクリュー６６の時計方向の回転によってガイド軸６５とリードスクリュー６６に沿ってホームポジション方向（図９（Ａ）及び図１０中、左方向）に移動して、ホームポジションに達した場合には、カッターキャリッジ６１はスイッチＳＷ２に当接して、該スイッチＳＷ２からＯＮ信号が制御回路部に出力される。尚、カッターキャリッジ６１がスイッチＳＷ２に当接した状態で第２駆動モータ３０が時計方向に回転した場合には、リードスクリュークラッチバネ６７は緩み側となるため、リードスクリューギヤ５８の回転駆動力は、リードスクリュー６６に伝達されなくなり、該リードスクリュー６６は回転しない。
他方、スイッチＳＷ２からＯＮ信号を受け取った制御回路部は、カッターキャリッジ６１がホームポジションに達したと判定して、第２駆動モータ３０を停止させ、カッターユニット６０によるロールシート１０の切断処理を終了する。
【００３６】
次に、搬送機構部１５を構成する搬送ローラユニット３７の構成について図１２に基づいて説明する。図１２は本実施形態に係るテープ印刷装置１の排紙ローラユニット３７を示し、（Ａ）は正面図、（Ｂ）は（Ａ）におけるＡ−Ａ断面図である。
【００３７】
図１２に示すように、第１ギヤ列２５を構成する排紙ローラギヤ８１のギヤ軸８１Ａは、下フレーム７の側壁５に回転可能に支持されている。また、排紙ローラユニット３７は、一端側が第１クラッチバネ８１を介して側壁６に回転可能に支持されると共に、他端側が第２クラッチバネ８２を介して排紙ローラギヤ８１のギヤ軸８１Ａに回転可能に支持されている。
この第１クラッチバネ８２は、排紙ローラユニット３７がロールシート１０を引き込む方向（図１２（Ｂ）中、反時計方向）に回転する場合には、締まり側となって該排紙ローラユニット３７を停止させるように作動する。また、この第１クラッチバネ８２は、排紙ローラユニット３７がロールシート１０を排出する方向（図１２（Ｂ）中、時計方向）に回転する場合には、緩み側となって該排紙ローラユニット３７の回転を妨げないように作動する。
【００３８】
また、該排紙ローラギヤ８１の駆動は、第２クラッチバネ８３を介して排紙ローラユニット３７に伝達される。この第２クラッチバネ８３は、排紙ローラギヤ８１が排紙ローラユニット３７をロールシート１０の引き込み方向（図１２（Ｂ）中、反時計方向）に回転させる場合には、緩み側となり、且つ、第１クラッチバネ８２が締まり側となるため、排紙ローラユニット３７が第１クラッチバネ８２によって停止された場合には、該排紙ローラギヤ８１は空転するようになる。一方、この第２クラッチバネ８３は、排紙ローラギヤ８１が排紙ローラユニット３７をロールシート１０の排出方向（図１２（Ｂ）中、時計方向）に回転させる場合には、締まり側となり、且つ、第１クラッチバネ８２が緩み側となるため、排紙ローラユニット３７は排紙ローラギヤ８１と同じ方向（図１２（Ｂ）中、時計方向）に回転する。
【００３９】
また、排紙ローラユニット３７は、一対の略円筒状の排紙ローラ８４、８４が同軸上に取り付けられている。また、断面略Ｌ字状のカッタープレート３５は、外側の一面が上側に、外側の他の面が前側になると共に、該排紙ローラ８４、８４の各中央部分とロールシート１０の最大厚さ寸法より少し大きい隙間を形成するように各側壁５、６に支持されている。また、カッタープレート３５の各排紙ローラ８４、８４の左右両端面部に対向する位置には、各貫通孔８６、８６、８６、８６が穿設されている。また、各排紙ローラ８４、８４の左右両端面部には、斜め外側に延出されて、各貫通孔８６、８６、８６、８６内に達する略平板状のシート押え部８４Ａが所定中心角度毎（本実施形態では約３６度毎）に形成されている。これにより、各シート押さえ部８４Ａがロールシート１０を所定押圧力でカッタープレート３５の上面に押しつけるため、ロールシート１０の排出に必要なニップ力が発生する。
【００４０】
また、排紙ローラユニット３７に対向するカッタープレート３５の上面には、ロールシート１０の幅方向側面に当接して、搬送方向に案内するガイド部材８７Ａ、８７Ｂが着脱可能に取り付けられている。この各ガイド部材８７Ａ、８７Ｂは、粘着剤の付着しにくいポリアセタール等の樹脂成形品である。また、各ガイド部材８７Ａ、８７Ｂのロールシート１０側の端面は、所定高さ寸法上側に延出され、ロールシート１０の幅方向側面に確実に当接するように形成されている。また、排紙ローラユニット３７の各ガイド部材８７Ａ、８７Ｂの内側端面より少し内側の位置には、ロールシート１０の上面を上側から押さえる略円板状の排紙サイドローラ８８Ａ、８８Ｂが同軸上に設けられている。これにより、ロールシート１０は、各ガイド部材８７Ａ、８７Ｂ、及び各排紙サイドローラ８８Ａ、８８Ｂによって、搬送方向に案内される。
【００４１】
更に、カッタープレート３５の前面部には、ロールシート１０の幅方向中央位置に対応する位置に、ロールシート１０の先端部が当接することによりＯＮ・ＯＦＦされるスイッチＳＷ４が設けられている。尚、このスイッチＳＷ４は、不図示の制御回路部に接続されている。これにより、排紙ローラ８４、８４によって排出されるロールシート１０の先端位置を検出することができる。
【００４２】
次に、第１ギヤ列２５の構成及び駆動動作について図１３に基づいて説明する。図１３は本実施形態に係るテープ印刷装置１の第１ギヤ列２５の構成を示す図で、（Ａ）はロールシート１０の巻き戻し動作時を示す拡大正面図で、（Ｂ）はロールシート１０の排出動作時を示す拡大正面図である。
図１３に示すように、先ず、グリップローラ２２及びロールシート巻き取りギヤ１３Ａ（図５参照）を駆動する第１ギヤ列２５の構成は、第１駆動モータ２４のシャフトに取り付けられるモータギヤ９１と、このモータギヤ９１に歯合する第１ローラダブルギヤ９２と、この第１ローラダブルギヤ９２の回転軸に軸支される略平板状の遅延アーム９３と、この遅延アーム９３の外周端縁部に所定中心角度で軸支されると共に該第１ローラダブルギヤ９２に歯合する一対の第１及び第２遊星ギヤ９４Ａ、９４Ｂと、この第１及び第２遊星ギヤ９４Ａ、９４Ｂのいずれかの一方に歯合する第２ローラダブルギヤ９５と、この第２ローラダブルギヤ９５に歯合すると共にグリップローラ２２の一端側に取り付けられるローラギヤ９６と、このローラギヤ９６の軸心上に所定角度だけ回転可能に軸支される遊星ギヤアーム９７と、この遊星ギヤアーム９７の一端側に軸支されると共に該ローラギヤ９６に歯合する第３遊星ギヤ９８と、この第３遊星ギヤ９８にテープ巻き戻し時に限り歯合する第１クラッチギヤ９９Ａと、この第１クラッチギヤ９９Ａにクラッチバネ（このクラッチバネは、第１クラッチギヤ９９Ａが反時計方向に回転するときに緩み側となって、所定の一定トルクを伝達する。）を介して回転駆動される第２クラッチギヤ９９Ｂと、この第２クラッチギヤ９９Ｂに歯合するロールシート巻き取りギヤ１３Ａとから構成されている。
【００４３】
一方、図１３に示すように、プラテンローラ２１、排紙ローラユニット３７、及びリボンカセット７１のリボン巻き取りスプール（不図示）を駆動する第１ギヤ列２５の構成は、第１駆動モータ２４のシャフトに取り付けられるモータギヤ９１と、このモータギヤ９１に歯合する第１ローラダブルギヤ９２と、この第１ローラダブルギヤ９２に歯合するローラアイドルギヤ１０１と、このローラアイドルギヤ１０１の回転軸上に上記遅延アーム９３に対向して取り付けられる略平板状の遊星ギヤストッッパ１０２と、該ローラアイドルギヤ１０１に歯合する第３ローラダブルギヤ１０３と、この第３ローラダブルギヤ１０３に歯合すると共にプラテンローラ２１の一端側に取り付けられるプラテンギヤ１０４と、このプラテンギヤ１０４に歯合する排紙ローラギヤ８１（図１２参照）と、この排紙ローラギヤ８１の軸心上に所定角度だけ回転可能に軸支される排紙ローラギヤアーム１０５と、この排紙ローラギヤアーム１０５の一端側に軸支されると共に該排紙ローラギヤ８１に歯合する第４遊星ギヤ１０６と、この第４遊星ギヤ１０６にテープ印字時に限り歯合するリボンクラッチギヤ１０７Ａと、このリボンクラッチギヤ１０７Ａにクラッチバネ（このクラッチバネは、リボンクラッチギヤ１０７Ａが反時計方向に回転するときに緩み側となって、所定の一定トルクを伝達する。）を介して回転駆動されるリボンクラッチギヤ１０７Ｂと、このリボンクラッチギヤ１０７Ｂに歯合すると共にリボンカセット７１のリボン巻き取りスプールの一端側に取り付けられるリボン巻き取りギヤ１０８とから構成されている。
【００４４】
続いて、第１ギヤ列２５の概略動作について図１３に基づき説明する。先ず、ロールシート１０の巻き戻し動作について図１３（Ａ）に基づいて説明する。尚、予め上記のように第２駆動モータ３０を駆動して第２ギヤ列２８を介してサーマルヘッド２７は、プラテンローラ２１から所定距離離間されている。
ロールシート１０の巻き戻しは、第１駆動モータ２４を反時計方向に回転させ、第１ローラダブルギヤ９２、第２遊星ギヤ９４Ｂ、第２ローラダブルギヤ９５、ローラギヤ９６、第３遊星ギヤ９８、第１クラッチギヤ９９Ａ、第２クラッチギヤ９９Ｂ、及びロールシート巻き取りギヤ１３Ａの順に回転させる。また、同時に、第１ローラダブルギヤ９２、ローラアイドルギヤ１０１、第３ローラダブルギヤ１０３、プラテンギヤ１０４、排紙ローラギヤ８１、及び第４遊星ギヤ１０６の順に回転させられる。また、排紙ローラギヤアーム１０５は下側方向に押し下げられて、第４遊星ギヤ１０６の回転駆動は、各リボンクラッチギヤ１０７Ａ、１０７Ｂ、及びリボン巻き取りギヤ１０８には伝達されない。
【００４５】
これにより、ローラギヤ９６は反時計方向に回転し、該ローラギヤ９６が取り付けられているグリップローラ２２は反時計方向に所定回転速度で回転する。したがって、各従動ローラ２３、２３を介してグリップローラ２２に所定押圧力で押しつけられるロールシート１０は、該グリップローラ２２の反時計方向の回転によってロールシートユニット１１側に引き込まれる（矢印Ｊ方向）。
また、ロールシートユニット１１のロールシート巻き取りギヤ１３Ａは、時計方向に回転し、該ロールシート巻き取りギヤ１３Ａを介してロールシート１０の巻芯１１Ａが時計方向に回転してグリップローラ２２の回転によって引き込まれたロールシート１０がロールシートユニット１１に巻き込まれる。尚、ロールシート巻き取りギヤ１３Ａの回転によるロールシート１０の巻き取り速度は、グリップローラ２２によりロールシート１０の引き込み速度よりも所定速度大きくなるようにギヤ比が設定されているため、グリップローラ２２とロールシートユニット１１間のロールシート１０には適度なテンションがかかりロールシート１０をきれいに巻き取ることができる。
【００４６】
また、プラテンギヤ１０４は反時計方向に回転し、該プラテンギヤ１０４に取り付けられるプラテンローラ２１は反時計方向に回転するが、サーマルヘッド２７が離間されているため、ロールシート１０には引き込み力はほとんど働かない。
また、このプラテンギヤ１０４に歯合する排紙ローラギヤ８１は時計方向に回転するが、上記のように排紙ローラユニット３７は、第１クラッチバネ８２と第２クラッチバネ８３とを介して（図１２参照）停止状態になるため、この排紙ローラユニット３７とグリップローラ２２間のロールシート１０には適度なテンションがかかりロールシート１０をきれいに巻き取ることができる。
【００４７】
次に、印字及び排紙処理時の第１ギヤ列２５によるロールシート１０の排出動作について図１３（Ｂ）に基づいて説明する。尚、予め上記のように第２駆動モータ３０を駆動して第２ギヤ列２８を介してサーマルヘッド２７は、プラテンローラ２１に押し当てられている。
ロールシート１０の排出動作は、第１駆動モータ２４を時計方向に回転させ、第１ローラダブルギヤ９２、第１遊星ギヤ９４Ａ、第２ローラダブルギヤ９５、ローラギヤ９６、及び第３遊星ギヤ９８の順に回転させる。また、遊星ギヤアーム９７は上側方向に押し上げられて、第３遊星ギヤ９８の回転駆動は、各第１及び第２クラッチギヤ９９Ａ、９９Ｂ、及びロールシート巻き取りギヤ１３Ａには伝達されない。また、同時に、第１ローラダブルギヤ９２、ローラアイドルギヤ１０１、第３ローラダブルギヤ１０３、プラテンギヤ１０４、排紙ローラギヤ８１、第４遊星ギヤ１０６、リボンクラッチギヤ１０７Ａ、リボンクラッチギヤ１０７Ｂ、及びリボン巻き取りギヤ１０８の順に回転させる。
【００４８】
これにより、ローラギヤ９６は時計方向に回転し、該ローラギヤ９６が取り付けられているグリップローラ２２は時計方向に所定回転速度で回転する。したがって、各従動ローラ２３、２３を介してグリップローラ２２に所定押圧力で押しつけられるロールシート１０は、該グリップローラ２２の時計方向の回転によって排出側方向（図１３中、右側方向）に引き出されると共に（矢印Ｋ方向）、それに伴ってロールシートユニット１１の巻芯１１Ａは反時計方向に回転する。
また、プラテンギヤ１０４は時計方向に回転し、該プラテンギヤ１０４に取り付けられるプラテンローラ２１は時計方向に回転するため、このプラテンローラ２１に各ヘッドバネ４８、４８を介してサーマルヘッド２７によって押しつけられるロールシート１０は、排出方向（図１３中、右側方向）に引き出される（矢印Ｋ方向）。尚、プラテンローラ２１の回転によるロールシート１０の引出速度は、グリップローラ２２によるロールシート１０の引出速度よりも所定速度大きくなるようにギヤ比が設定されているため、プラテンローラ２１とグリップローラ２２間のロールシート１０には適度なテンションがかかりロールシート１０にきれいな印字をすることができる。
【００４９】
また、このプラテンギヤ１０４に歯合する排紙ローラギヤ８１は反時計方向に回転し、上記のように排紙ローラユニット３７は、第１クラッチバネ８２と第２クラッチバネ８３とを介して（図１２参照）反時計方向に回転するため、この排紙ローラユニット３７の各排紙ローラ８４、８４とカッタープレート３５との協動によってロールシート１０は排出方向（矢印Ｋ方向）に引き出される。尚、排紙ローラユニット３７の各排紙ローラ８４、８４の回転によるロールシート１０の引出速度は、プラテンローラ２１によるロールシート１０の引出速度よりも所定速度大きくなるようにギヤ比が設定されているため、プラテンローラ２１と各排紙ローラ８４、８４間のロールシート１０には適度なテンションがかかりロールシート１０にきれいな印字をすることができる。
また、排紙ローラギヤ８１の反時計方向の回転によって排紙ローラギヤアーム１０６が上に持ち上がり、第４遊星ギヤ１０６及び各リボンクラッチギヤ１０７Ａ、１０７Ｂを介してリボン巻き取りギヤ１０８が時計方向に回転してインクリボン（不図示）がリボン巻き取りスプール（不図示）に巻き取られる。
【００５０】
次に、印字起動時及び印字動作時の遅延アーム９３及び遊星ギヤストッパ１０２の動作について図１４に基づいて説明する。図１４は本実施形態に係るテープ印刷装置１の印字時の第１ギヤ列２５のプラテンローラ２１及びグリップローラ２２を駆動する部分の構成を示す図で、（Ａ）は印字起動時を示す拡大部分正面図で、（Ｂ）は印字動作時を示す拡大部分正面図である。尚、予め上記のように第２駆動モータ３０を駆動して第２ギヤ列２８を介してサーマルヘッド２７は、プラテンローラ２１に押し当てられている。
図１４（Ａ）に示すように、先ず、略平板状の遅延アーム９３には、回転軸に対して第１遊星ギヤ９４Ａの反対側の外周面から外側方向に所定長さ延出される細長い延出部９３Ａが設けられている。また、略半円形平板状の遊星ギヤストッパ１０２の前記延出部９３Ａに対向する位置（図１４（Ａ）中、遊星ギヤストッパ１０２の左下の位置）には、外側方向に開く略ハの字状に形成される凹部１０２Ａが設けられている。
【００５１】
そして、印字起動時には、図１４（Ａ）に示すように、第２遊星ギヤ９４Ｂが第２ローラダブルギヤ９５に歯合するように遅延アーム９３は、時計方向に第１ローラダブルギヤ９２を介して回転されている。また、同時に、遊星ギヤストッパ１０２はローラアイドルギヤ１０１を介して反時計方向に回転されている。したがって、遅延アーム９３の延出部９３Ａと遊星ギヤストッパ１０２の凹部１０２Ａとは離される。尚、ロールシート１０を引き込む場合も、同様に遅延アーム９３の延出部９３Ａと遊星ギヤストッパ１０２の凹部１０２Ａとは離されている（図１３（Ａ）参照）。
【００５２】
続いて、印字が開始された場合には、図１４（Ｂ）に示すように、ロールシートを排出するためにモータギヤ９１が時計方向に回転して、第１ローラダブルギヤ９２が反時計方向に回転し、ローラアイドルギヤ１０１が時計方向に回転するため、遊星ギヤストッパ１０２は時計方向に回転する。また、同時に、第１ローラダブルギヤ９２の反時計方向の回転によって遅延アーム９３が反時計方向に回転して、第２遊星ギヤ９４Ｂが第２ローラダブルギヤ９５から離れた後、第１ローラダブルギヤ９２の時計方向の所定角度の回転によって遅延アーム９３が反時計方向に所定角度回転して、第１遊星ギヤ９４Ａが第２ローラダブルギヤ９５に歯合する。また、遅延アーム９３の時計方向の所定角度の回転によって、延出部９３Ａが時計方向に回転してくる遊星ギヤストッパ１０２の凹部１０２Ａに進入して嵌り込む。
【００５３】
これにより、モータギヤ９１が時計方向に回転している場合には、遅延アーム９３の延出部９３Ａが遊星ギヤストッパ１０２の凹部１０２Ａに嵌り込んだ状態が維持される。また、上記のようにプラテンローラ２１のロールシート１０引出速度は、グリップローラ２２のロールシート１０引出速度よりも所定速度大きくなるようにギヤ比が設定されているため、第２ローラダブルギヤ９５に反時計方向の回転力が加わり、そのため第１遊星ギヤ９４Ａを離れる方向に押す力、即ち遅延アーム９３を時計方向に回転させる力が発生する。しかし、遅延アーム９３は、反時計方向の回転力を負荷される遊星ギヤストッパ１０２によって時計方向に回転するのを妨げられるため、第１遊星ギヤ９４Ａが第２ローラダブルギヤ９５から離れることなく、モータギヤ９１の回転駆動力は第２ローラダブルギヤ９５に確実に伝達される。
【００５４】
また、印字開始時には、一方の第２遊星ギヤ９４Ｂが第２ローラダブルギヤ９５から離れた後、他方の第１遊星ギヤ９４Ａが第２ローラダブルギヤ９５に歯合するまで、第１ローラダブルギヤ９２の回転駆動が第２ローラダブルギヤ９５に伝達されずローラギヤ９６が回転しない。また、印字開始と共に第１ローラダブルギヤ９２の回転駆動は、ローラアイドルギヤ１０１、第３ローラダブルギヤ１０３、及びプラテンギヤ１０４を介してプラテンローラ２１に伝達される。したがって、印字開始時には、プラテンローラ２１が所定時間回転後、グリップローラ２２が回転するため、プラテンローラ２１とグリップローラ２２間のロールシート１０のたるみを取ることができると共に、プラテンローラ２１とグリップローラ２２間のロールシート１０に適度なテンションを確実にかけることができ、ロールシート１０にきれいな印字をすることができる。
【００５５】
以上詳細に説明した通り本実施形態に係るテープ印刷装置１では、第１駆動モータ２４の駆動により第１ギヤ列２５を介して排紙ローラユニット３７、プラテンローラ２１、グリップローラ２２、及びロールシートユニット１１の巻芯１１Ａが各々回転駆動されて、ロールシート１０が排出又は巻き戻される。また、第２駆動モータ３０の駆動により第２ギヤ列２８を介してサーマルヘッド２７のプラテンローラ２１への押圧又は離間が行われ、また、ロールシート１０の切断が行われる。
【００５６】
したがって、搬送経路のグリプローラ２２より下流側のロールシート１０がプラテンローラ２１によって引き出された後、該プラテンローラ２１とグリップローラ２２とによってロールシート１０が順次引き出されるため、グリップローラ２２とプラテンローラ２１との間のロールシート１０のたるみを取り除くことができ、ロールシート１０の斜行等を効果的に防止してシート搬送精度の向上を図ることができる。また、第１ギヤ列２５は各第１及び第２遊星ギヤ９４Ａ、９４Ｂ等を介して簡易な機構構成によってプラテンローラ２１を回転起動後、グリップローラ２２を回転起動できるため、該第１ギヤ列２５の小型化を図ることができる。
また、グリップローラ２２とプラテンローラ２１との間のロールシート１０は、見かけ上プラテンローラ２１によって適正なテンションが付加されるため、グリップローラ２２とプラテンローラ２１との間のロールシート１０のたるみを取り除いてロールシート１０の斜行等を効果的に防止してシート搬送精度の向上を図ることができる。
【００５７】
また、搬送ローラユニット３７の各搬送ローラ８４、８４の左右両端縁部の外周面上に形成されるシート押さえ部８４Ａとカッタープレート３５の上面に形成される各貫通孔８６、８６、８６、８６とによってプラテンローラ２１よりも下流側のロールシート１０が把持され、搬送ローラユニット３７の各搬送ローラ８４、８４だけでロールシート１０を排出することができるため、ピンチローラ等を無くして搬送機構の小型化を図ることができると共に、プラテンローラ２１と搬送ローラユニット３７との間のロールシート１０のたるみを取り除くことができ、ロールシート１０の斜行等を効果的に防止してシート搬送精度の向上を図ることができる。
また、各シート押さえ部８４Ａを各貫通孔８６内に達するまで長さ寸法を大きくすることができてロールシート１０の押圧力を大きくすることができる。
また、シート押え部８４Ａは、所定幅の略平板状で前記各搬送ローラ８４、８４の外周面に所定間隔で形成されているため、該シート押さえ部８４Ａの半径方向の厚さ寸法を変更することによってロールシート１０に適正な押圧力を容易に付加することができ、プラテンローラ２１と搬送ローラユニット３７との間のロールシート１０のたるみを取り除いてシート搬送精度の向上を図ることができる。
【００５８】
また、ロールシート１０を巻き戻す場合には、ロールシート１０は、搬送ローラユニット３７の各搬送ローラ８４、８４のシート押さえ部８４Ａによってカッタープレート３５の上面に押さえられつつ引き込まれるため、搬送ローラユニット３７よりも上流側のロールシート１０のたるみを取り除いてシート搬送精度の向上を図ることができる。
また、搬送ローラユニット３７とカッタープレート３５とによって搬送されるロールシート１０の左右方向の斜行が、各ガイド部材８７Ａ、８７Ｂによって防止されると共に、該ロールシート１０の左右両端縁部の反りを搬送ローラユニット３７の各排紙サイドローラ８８Ａ、８８Ｂによって押さえることができるため、該ロールシート１０の長さ方向前後へのシート搬送精度の向上を図ることができる。
また、プラテンローラ２１よりも上流側のロールシート１０の左右方向の斜行が、各ガイド部材４Ａ、４Ｂによって防止されるため、該ロールシート１０の長さ方向前後へのシート搬送精度の向上を図ることができる。これにより、前記各ガイド部材４Ａ、４Ｂと搬送ローラユニット３７の各排紙サイドローラ８８Ａ、８８Ｂとの協動によって、更にロールシート１０の左右方向の斜行が防止されるため、該ロールシート１０の長さ方向前後へのシート搬送精度の更なる向上を図ることができる。
【００５９】
また、フィルムシートの片面に粘着剤を介して離形紙を付着したロールシート１０を搬送する場合に、各ガイド部材４Ａ、４Ｂに粘着剤が多く付着した場合は、該各ガイド部材４Ａ、４Ｂを交換することができるため、シート搬送精度を高い精度で維持することが可能となる。
また、各ガイド部材４Ａ、４Ｂは、粘着剤の付着しにくいポリアセタール等のの樹脂成形品であるため、フィルムシートの片面に粘着剤を介して離形紙を付着したロールシート１０を搬送する場合に、該各ガイド部材４Ａ、４Ｂへの粘着剤の付着を防止して、シート搬送精度を更に高い精度で維持することが可能となる。また、第２案内部材のみを粘着剤の付着しにくい高価な材質で形成することができ、テープ印刷装置の製造コストの削減化を図ることができる。
【００６０】
また、カッターユニット６０がリードスクリュー６６等の回転によってカッタ刃６２の刃先側に搬送される場合には、該カッタ刃６２の上部に設けられるカッターキャップ６３の刃先側下端面がロールシート１０をカッタープレート３５の上面よりも下側に引き下げて、該ロールシート１０のたるみを無くすため、このカッタ刃６２はロールシート１０をスムーズに切断することができる。
更に、このカッタ刃６２は、刃先側がロールシート１０に対して切断側搬送方向へ傾斜して設けられるため、ロールシート１０の毛羽立ちが印刷面の下側方向に発生し、良好な印字面を形成することができる。
【００６１】
尚、本発明は前記実施形態に限定されることはなく、本発明の要旨を逸脱しない範囲内で  種々の改良、変形が可能であることは勿論である。
【図面の簡単な説明】
【００６２】
【図１】本実施形態に係るテープ印刷装置の本体筐体の概略構成を示す斜視図である。
【図２】本実施形態に係るテープ印刷装置の本体筐体の概略構成を示す平面図である。
【図３】本実施形態に係るテープ印刷装置の内部構造を示し、（Ａ）は第２ギヤ列側からの斜視図、（Ｂ）は第２ギヤ列側の側面図である。
【図４】本実施形態に係るテープ印刷装置の内部構造を示し、（Ａ）は第１ギヤ列側からの斜視図、（Ｂ）は第１ギヤ列側の側面図である。
【図５】本実施形態に係るテープ印刷装置の上フレームを取り除いた場合の内部構造を示し、（Ａ）は第１ギヤ列側からの斜視図、（Ｂ）は第１ギヤ列側の側面図である。
【図６】本実施形態に係るテープ印刷装置の上フレームを取り除いてリボンカセットを装着した場合を示す第２ギヤ列からの斜視図である。
【図７】本実施形態に係るテープ印刷装置の画像形成機構部を構成するサーマルヘッドがプラテンローラからリリースされた状態を示す正面図である。
【図８】本実施形態に係るテープ印刷装置の第２ギヤ列の構成を示す拡大正面図である。
【図９】本実施形態に係るテープ印刷装置の排紙ローラユニットを取り除いてカッティング機構部を示す図で、（Ａ）は平面図、（Ｂ）は（Ａ）におけるＢ−Ｂ断面図、（Ｃ）は（Ａ）におけるＣ矢視図である。
【図１０】本実施形態に係るテープ印刷装置のカッティング機構部のキャリッジ機構を示す正面断面図である。
【図１１】本実施形態に係るテープ印刷装置のカッティング機構部の第２ギヤ列による駆動を示す図で、（Ａ）はロールシートの切断時の駆動を示す一部拡大正面図で、（Ｂ）はホームポジション移動時の駆動を示す一部拡大正面図である。
【図１２】本実施形態に係るテープ印刷装置の排紙ローラユニットを示し、（Ａ）は正面図、（Ｂ）は（Ａ）におけるＡ−Ａ断面図である。
【図１３】本実施形態に係るテープ印刷装置の第１ギヤ列の構成を示す図で、（Ａ）はロールシートの巻き戻し動作時を示す拡大正面図で、（Ｂ）はロールシートの排出動作時を示す拡大正面図である。
【図１４】本実施形態に係るテープ印刷装置の印字時の第１ギヤ列のプラテンローラ及びグリップローラを駆動する部分の構成を示す図で、（Ａ）は印字起動時を示す拡大部分正面図で、（Ｂ）は印字動作時を示す拡大部分正面図である。
【符号の説明】
【００６３】
１          テープ印刷装置
２          本体筐体
３          上フレーム
５、６      側壁
７          下フレーム
１０        ロールシート
１１        ロールユニット
１５        搬送機構部
１６        カッティング機構部
１７        画像形成機構部
２１        プラテンローラ
２２        グリップローラ
２３        従動ローラ
２５        第１ギヤ列
２７        サーマルヘッド
２８        第２ギヤ列
３７        搬送ローラユニット
６０        カッターユニット
【図１】
2004291659.tif 000003
【図２】
2004291659.tif 000004
【図３】
2004291659.tif 000005
【図４】
2004291659.tif 000006
【図５】
2004291659.tif 000007
【図６】
2004291659.tif 000008
【図７】
2004291659.tif 000009
【図８】
2004291659.tif 000010
【図９】
2004291659.tif 000011
【図１０】
2004291659.tif 000012
【図１１】
2004291659.tif 000013
【図１２】
2004291659.tif 000014
【図１３】
2004291659.tif 000015
【図１４】
2004291659.tif 000016